(57)【要約】【課題】  相手先に応じて着信から用件メッセージ録音開始までの時間を設定可能な留守番電話装置を提供する。【解決手段】  着信があり、登録された電話番号からの着信であると判定すると（Ｓ２ステップ）、留守モードオンであるか否かを判定し（Ｓ７ステップ）、留守モードオンの相手先であると判定すると、留守モードへ移行し所定回数呼出音を鳴動後留守録音に入る（Ｓ１１〜Ｓ１６ステップ）。【選択図】  図３
2008131447.tif 000002
【特許請求の範囲】
【請求項１】
着信があり所定回数の着信音鳴動後に用件メッセージの録音動作に入る留守番電話装置であり、
発呼側の電話番号に応じて用件メッセージの録音動作に入るまでの着信音鳴動回数を設定可能であることを特徴とする留守番電話装置。
【請求項２】
着信があり所定回数の着信音鳴動後に用件メッセージの録音動作に入る留守番電話装置であり、
着信時に発呼側の電話番号を検出する電話番号検出手段と、用件メッセージの録音を行う用件メッセージ録音手段と、着信音を鳴動する鳴動手段と、発呼側の電話番号と着信音の鳴動回数とを対応付けて複数格納可能な格納手段と、
着信時に前記電話番号検出手段が発呼側の電話番号を検出すると、前記格納手段に一致する電話番号があるか否かを判定し、一致する電話番号がある場合に電話番号に対応付けて格納されている着信音の鳴動回数分前記鳴動手段を鳴動させ、当該回数分の着信音の鳴動後前記用件メッセージ録音手段により用件メッセージの録音を開始させるよう制御する制御手段と、を有することを特徴とする留守番電話装置。
【請求項３】
着信があり所定回数の着信音鳴動後に用件メッセージの録音動作に入る留守番電話装置であり、
相手側の電話番号と、着信時に留守番機能を作動させるか否かを示す留守モード情報と、当該留守モード情報がオンに設定されている際に着信から用件メッセージ録音開始までの着信音の鳴動回数を示す鳴動回数と、を対応付けて格納する格納手段と、
着信検出手段と、着信時に発呼側の電話番号を検出する電話番号検出手段と、用件メッセージの録音を行う用件メッセージ録音手段と、着信音を鳴動する着信音鳴動手段と、
着信時に、前記電話番号検出手段が検出した電話番号と一致する電話番号が前記格納手段に格納されていると共に前記留守モード情報がオフに設定されていると、留守番電話装置の留守番機能を動作させないことを特徴とする留守番電話装置。
【請求項４】
請求項３記載の留守番電話装置であり、着信時に、前記電話番号検出手段が検出した電話番号と一致する電話番号が前記格納手段に格納されていると共に前記留守モード情報がオンに設定されていると、前記電話番号と対応付けて前記格納手段に格納されている鳴動回数分前記着信音鳴動手段により着信音を鳴動させた後に、前記用件メッセージ録音手段により用件メッセージの録音を開始させることを特徴とする留守番電話装置。
【請求項５】
着信があり所定回数の着信音鳴動後に用件メッセージの録音動作に入る留守番電話装置であり、
着信時に発呼側の電話番号を検出する電話番号検出手段と、用件メッセージの録音を行う用件メッセージ録音手段と、着信音を鳴動する鳴動手段と、発呼側の電話番号と着信から用件メッセージの録音開始までの時間とを対応付けて複数格納可能な格納手段と、
着信時に前記電話番号検出手段が発呼側の電話番号を検出すると、前記格納手段に一致する電話番号があるか否かを判定し、一致する電話番号がある場合に電話番号に対応付けて格納されている時間の間前記鳴動手段を鳴動させ、着信音鳴動後前記用件メッセージ録音手段により用件メッセージの録音を開始させるよう制御する制御手段と、を有することを特徴とする留守番電話装置。
【請求項６】
着信があり所定回数の着信音鳴動後に用件メッセージの録音動作に入る留守番電話装置であり、
相手側の電話番号と、着信時に留守番機能を作動させるか否かを示す留守モード情報と、当該留守モード情報がオンに設定されている際に着信から用件メッセージの録音開始までの時間と、を対応付けて格納する格納手段と、
着信検出手段と、着信時に発呼側の電話番号を検出する電話番号検出手段と、用件メッセージの録音を行う用件メッセージ録音手段と、着信音を鳴動する着信音鳴動手段と、
着信時に、前記電話番号検出手段が検出した電話番号と一致する電話番号が前記格納手段に格納されていると共に前記留守モード情報がオフに設定されていると、留守番電話装置の留守番機能を動作させないことを特徴とする留守番電話装置。
【請求項７】
請求項６記載の留守番電話装置であり、着信時に、前記電話番号検出手段が検出した電話番号と一致する電話番号が前記格納手段に格納されていると共に前記留守モード情報がオンに設定されていると、前記電話番号と対応付けて前記格納手段に格納されている時間の間前記着信音鳴動手段により着信音を鳴動させた後に、前記用件メッセージ録音手段により用件メッセージの録音を開始させることを特徴とする留守番電話装置。
【発明の詳細な説明】
【技術分野】
【０００１】
本発明は留守番電話装置に関する。
【背景技術】
【０００２】
特許文献１には、着信時に受信した電話番号とメモリに格納されている電話番号とが一致すれば留守録音の動作を行わず、一致すれば留守録音の動作を行う留守番電話装置が記載されている。
【特許文献１】特開平１１−２３４３９５公報
【発明の開示】
【発明が解決しようとする課題】
【０００３】
上記文献の記載の技術では、メモリに格納されている電話番号からの着信があると、着呼側では着信報知を行うだけで留守録音の状態に移行しない。
【０００４】
これでは、発呼側が重要な相手先であり尚且つ緊急の要件を着呼側に伝える必要がある場合でも、着呼側が着信に応答しない限り、発呼側は着呼側にメッセージを伝えることができない。
【課題を解決するための手段】
【０００５】
本発明はこのような課題を解決する為のものであり、
請求項１記載の留守番電話装置は、着信があり所定回数の着信音鳴動後に用件メッセージの録音動作に入る留守番電話装置であり、発呼側の電話番号に応じて用件メッセージの録音動作に入るまでの着信音鳴動回数を設定可能であることを特徴とする。
請求項２記載の留守番電話装置は、着信があり所定回数の着信音鳴動後に用件メッセージの録音動作に入る留守番電話装置であり、着信時に発呼側の電話番号を検出する電話番号検出手段と、用件メッセージの録音を行う用件メッセージ録音手段と、着信音を鳴動する鳴動手段と、発呼側の電話番号と着信音の鳴動回数とを対応付けて複数格納可能な格納手段と、着信時に前記電話番号検出手段が発呼側の電話番号を検出すると、前記格納手段に一致する電話番号があるか否かを判定し、一致する電話番号がある場合に電話番号に対応付けて格納されている着信音の鳴動回数分前記鳴動手段を鳴動させ、当該回数分の着信音の鳴動後前記用件メッセージ録音手段により用件メッセージの録音を開始させるよう制御する制御手段と、を有することを特徴とする。
請求項３記載の留守番電話装置は、着信があり所定回数の着信音鳴動後に用件メッセージの録音動作に入る留守番電話装置であり、相手側の電話番号と、着信時に留守番機能を作動させるか否かを示す留守モード情報と、当該留守モード情報がオンに設定されている際に着信から用件メッセージ録音開始までの着信音の鳴動回数を示す鳴動回数と、を対応付けて格納する格納手段と、着信検出手段と、着信時に発呼側の電話番号を検出する電話番号検出手段と、用件メッセージの録音を行う用件メッセージ録音手段と、着信音を鳴動する着信音鳴動手段と、着信時に、前記電話番号検出手段が検出した電話番号と一致する電話番号が前記格納手段に格納されていると共に前記留守モード情報がオフに設定されていると、留守番電話装置の留守番機能を動作させないことを特徴とする。
請求項４記載の留守番電話装置は、請求項３記載の留守番電話装置であり、着信時に、前記電話番号検出手段が検出した電話番号と一致する電話番号が前記格納手段に格納されていると共に前記留守モード情報がオンに設定されていると、前記電話番号と対応付けて前記格納手段に格納されている鳴動回数分前記着信音鳴動手段により着信音を鳴動させた後に、前記用件メッセージ録音手段により用件メッセージの録音を開始させることを特徴とする。
請求項５記載の留守番電話装置は、着信があり所定回数の着信音鳴動後に用件メッセージの録音動作に入る留守番電話装置であり、着信時に発呼側の電話番号を検出する電話番号検出手段と、用件メッセージの録音を行う用件メッセージ録音手段と、着信音を鳴動する鳴動手段と、発呼側の電話番号と着信から用件メッセージの録音開始までの時間とを対応付けて複数格納可能な格納手段と、着信時に前記電話番号検出手段が発呼側の電話番号を検出すると、前記格納手段に一致する電話番号があるか否かを判定し、一致する電話番号がある場合に電話番号に対応付けて格納されている時間の間前記鳴動手段を鳴動させ、着信音鳴動後前記用件メッセージ録音手段により用件メッセージの録音を開始させるよう制御する制御手段と、を有することを特徴とする。
請求項６記載の留守番電話装置は、着信があり所定回数の着信音鳴動後に用件メッセージの録音動作に入る留守番電話装置であり、相手側の電話番号と、着信時に留守番機能を作動させるか否かを示す留守モード情報と、当該留守モード情報がオンに設定されている際に着信から用件メッセージの録音開始までの時間と、を対応付けて格納する格納手段と、着信検出手段と、着信時に発呼側の電話番号を検出する電話番号検出手段と、用件メッセージの録音を行う用件メッセージ録音手段と、着信音を鳴動する着信音鳴動手段と、着信時に、前記電話番号検出手段が検出した電話番号と一致する電話番号が前記格納手段に格納されていると共に前記留守モード情報がオフに設定されていると、留守番電話装置の留守番機能を動作させないことを特徴とする。
請求項７記載の留守番電話装置は、請求項６記載の留守番電話装置であり、着信時に、前記電話番号検出手段が検出した電話番号と一致する電話番号が前記格納手段に格納されていると共に前記留守モード情報がオンに設定されていると、前記電話番号と対応付けて前記格納手段に格納されている時間の間前記着信音鳴動手段により着信音を鳴動させた後に、前記用件メッセージ録音手段により用件メッセージの録音を開始させることを特徴とする。
【発明の効果】
【０００６】
請求項１及び２に記載の留守番電話装置は、相手先に応じて用件メッセージの録音動作に入るまでの着信音鳴動回数を設定できる為、ユーザが話をしたい相手先に対しては、できるだけ長い間着信音を鳴動させ、ユーザが話をしたくない相手先に対しては直ちに用件メッセージの録音動作を開始させることができる。
【０００７】
請求項３に記載の留守番電話装置は、着信時に、電話番号検出手段が検出した電話番号と一致する電話番号が格納手段に格納されていると共に留守モード情報がオフに設定されていると、留守番電話装置の留守番機能を動作させない為、ユーザが話をしたい相手先に対しては着信音を鳴動させ、ユーザが話をしたくない相手先に対しては直ちに用件メッセージの録音動作を開始させることができる。
請求項４に記載の留守番電話装置は、着信時に、電話番号検出手段が検出した電話番号と一致する電話番号が格納手段に格納されていると共に留守モード情報がオンに設定されていると、電話番号と対応付けて格納手段に格納されている鳴動回数分前記着信音鳴動手段により着信音を鳴動させた後に、用件メッセージ録音手段により用件メッセージの録音を開始させる為、ユーザが話をしたい相手先に対しては着信音を鳴動させ、ユーザが話をしたくない相手先に対しては直ちに用件メッセージの録音動作を開始させることができる。
【０００８】
請求項５〜７に記載の留守番電話装置は、相手先に応じて用件メッセージの録音動作に入るまでの時間を設定できる為、ユーザが話をしたい相手先に対しては、できるだけ長い間着信音を鳴動させ、ユーザが話をしたくない相手先に対しては直ちに用件メッセージの録音動作を開始させることができる。
【発明を実施するための最良の形態】
【０００９】
図１は本発明を適用してなる実施例装置（留守番電話装置）のブロック図である。
【００１０】
図１において、制御部１００は留守番電話装置内部の各回路の制御を司る。又、制御部１００は、着信時に発呼側の電話番号を一時的に格納するバッファメモリ（図示せず）と所定時間の計時を行うタイマ（図示せず）とを有している。
ダイオードブリッジ１１０は回線Ｌと接続されており、回線Ｌの極性が反転しても装置内部の回路の電位を一定に保つ。リンガー検出部１２０は、回線Ｌに接続され、回線Ｌから一定周期で送られてくる周波数１６ヘルツの着信信号を検出すると上記着信を示す信号を制御部１００に送出する。
【００１１】
網制御部１３０は、上記制御部１００の制御の下で回線の閉結動作を行い、回線の極性反転を検出する機能も有している。又、ＤＴＭＦ（Ｄｕａｌ  Ｔｏｎｅ  Ｍｕｌｔｉｐｌｅ  Ｆｒｅｑｕｅｎｃｙ）信号や、ダイヤルパルス信号を回線へ送出する機能を有している。
ビープ音発生部１４０は、制御部１００の制御の下で例えば２キロヘルツのビープ音を網制御部１３０を介して回線Ｌへ送出する。
【００１２】
スピーカ１５０は、アンプ１６０とミュート回路１７０を介して制御部１００と接続されており、上記リンガー検出部１２０により回線Ｌからの着信信号が検出された際に着信音を送出し、又、拡声受話を行う際には、回線Ｌからの音声やＲＢＴ（Ｒｉｎｇ  Ｂａｃｋ  Ｔｏｎｅ）をスピーカ１５０から出力する。
【００１３】
ミュート回路１７０は、制御部１００の制御の下で、スピーチネットワーク部１８０から入力した音声信号や着信音等をスピーカから送出させないようにする。スピーチネットワーク部１８０は、音声信号の通過するラインの接続切換を行う。
【００１４】
又、スピーチネットワーク部１８０は、スピーカ１９１から入力した音声信号を回線Ｌへ送出しないようにするためのミュート回路を内蔵している（図示せず）。
【００１５】
送受話部１９０のスピーカ１９１は、アンプ１９２を介して上記スピーチネットワーク部１８０と接続されており、回線Ｌから入力した発呼側の音声信号を送出する。送受話部１９０のマイク１９３は、アンプ１９４を介して上記スピーチネットワーク部１８０と接続されており、ユーザの発した音声信号をスピーチネットワーク部１８０へ送出する。
フック検出部２００は、制御部１００と接続されており、上記送受話部１９０のオンフック、オフフックを検出する。
発呼側番号検出部２１０は、スピーチネットワーク部１８０と制御部１００とに接続されており、着信時に回線Ｌからの発呼側電話番号を検出する。
入力部２２０は、テンキーや、ＤＴＭＦとダイヤルパルスとを切り換えるスイッチ等を有しており、入力部２２０で入力された信号は制御部１００に送出される。
【００１６】
電話帳メモリ２３０は、例えばＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等の書き換え自由な不揮発性メモリからなる。
電話帳メモリ２３０は、例えば図２に示すような情報が格納されている。図２において、電話番号と発呼側の名称とを対応付けて複数件格納可能である。又、これらの電話番号は、着信があった際に留守録音機能を動作させない相手先の電話番号である。但し、本実施例では、着信があった際に留守録音機能を動作させない相手先の電話番号であっても、ユーザの設定操作により、留守録音機能を動作させる相手先として設定することが可能であるだけでなく、用件メッセージの録音開始までの着信音の鳴動回数も設定可能である。
具体的に説明すると、図２において、相手側の電話番号と氏名の情報、留守録音を動作させるか否かの情報（留守モード情報）と、留守録音を動作させるまでの着信音の鳴動回数の情報とが格納されている。尚、この鳴動回数の情報は留守モード情報がオンである相手先にのみ対応付けて格納される。
【００１７】
用件メッセージ格納部２４０は、例えばＥＥＰＲＯＭからなり、留守番電話装置が留守録音を開始した際に回線Ｌから入力した発呼側の用件メッセージを格納する領域と、上記用件メッセージに対応する発呼側の電話番号を格納する領域とを有しており、上記発呼側番号検出部２１０が着信時に発呼側の電話番号を検出した場合には、上記用件メッセージと発呼側の電話番号とを対にして格納可能であり、これらの情報を複数件格納可能である。又、着信時に前記発呼側番号検出部２１０が電話番号を検出しなかった場合には、用件メッセージのみ用件メッセージ格納部２４０に格納される。尚、用件メッセージに対応して着信した日付、日時等を格納しても良い。
【００１８】
表示部２５０は、上記入力部２２０から入力された電話番号や、上記電話帳メモリ２３０に格納されている電話番号及び名称等を表示することが可能である。又、上記用件メッセージ格納部２４０に格納されている発呼側からの用件メッセージを再生（スピーカ１５０から送出）している際に、上記用件メッセージ格納部２４０に上記発呼側のメッセージと対となって格納されている発呼側の電話番号を表示する。
【００１９】
拒否番号格納部２６０は、例えばＥＥＰＲＯＭ等からなり、着信を拒否する相手先の電話番号が格納される。
【００２０】
応答メッセージ格納部２７０は、例えばＥＥＰＲＯＭ等からなり、用件メッセージを格納する前に発呼側へ送出する応答メッセージ（例えば、"ただ今でかけております、発信音の後にメッセージを入れてください"）を格納している。
【００２１】
次に、本発明を適用してなる実施例装置の動作について以下に説明する。
【００２２】
図３は本実施例装置の動作を示すフロー図である。尚、初めに留守番電話装置がユーザの設定により留守録音がオンの状態であるとする。
図３のＳ１ステップにおいて、制御部１００は、リンガー検出部１２０から着信があることを示す信号を検出すると、Ｓ２ステップへ処理を進める。尚、この時、発呼側番号検出部２１０が発呼側の電話番号を検出する。
【００２３】
Ｓ２ステップでは、制御部１００は、発呼側番号検出部２１０が検出した発呼側の電話番号と同一の電話番号が電話帳メモリ２３０に格納されていると判定すると、Ｓ６ステップへ処理を進め、そうでなければＳ３ステップへ処理を進める。具体的には、図２に示す坂本さん、四ノ宮さん、粟津さん、小野さんからの着信であると、登録番号であると判定し、Ｓ６ステップへ処理を進める、それ以外の、即ち電話帳メモリ２３０に格納されていない発呼側からの着信であると判定するとＳ３ステップへ処理を進める。
【００２４】
Ｓ３ステップでは、制御部１００は、スピーカ１５０から着信音を鳴動させＳ４ステップへ処理を進める。
【００２５】
Ｓ４ステップでは、制御部１００は、制御部１００内に搭載されたカウンタ（図示せず）のカウント値を１インクリメントし、Ｓ５ステップへ処理を進める。
【００２６】
Ｓ５ステップでは、制御部１００は、前記カウンタが予め設定したカウント値をカウントしたと判定すると、Ｓ１５ステップへ処理を進め、そうでなければＳ３ステップへ処理を戻す。尚、このカウント値は、図２に示す鳴動回数とは全く関連のない値であり、ユーザが設定できるものである。
【００２７】
Ｓ６ステップでは、制御部１００は、装置を呼出音鳴動モードにする。即ち、留守モードではなく発呼側が呼出を続けるか或いは着呼側が応答するまで呼出音の鳴動を継続するモードにする。
【００２８】
続くＳ７ステップでは、制御部１００は、前記Ｓ２ステップで登録されていると判定した電話番号に留守モード情報がオンとなっているか否かを判定し、オンであればＳ１１ステップへ処理を進め、オフであればＳ８ステップへ処理を進める。
【００２９】
より具体的に説明すると、図２に示す、四ノ宮さんと粟津さんは留守モード情報がオンである為にＳ１１ステップへ処理を進め、坂本さんと小野さんは留守モード情報がオフである為にＳ８ステップへ処理を進める。
【００３０】
Ｓ８ステップでは、制御部１００は、Ｓ３ステップと同様に呼出音を鳴動させＳ９ステップへ処理を進める。
【００３１】
Ｓ９ステップでは、制御部１００は、フック検出部２００からハンドセットがオフフックされたことを示す信号を検出するとＳ１０ステップへ処理を進め、そうでなければＳ８ステップへ処理を戻す。
【００３２】
Ｓ１０ステップでは、制御部１００は、網制御部１３０を制御することにより回線を接続し、通話処理が行われる。
【００３３】
Ｓ１１ステップでは、制御部１００は、装置を留守録モードに移行させ、Ｓ１２ステップへ処理を進める。
【００３４】
Ｓ１２ステップでは、制御部１００は、着信音の鳴動回数を電話帳メモリ２３０に格納されている回数に設定する。具体的には、例えば図２に示す四ノ宮さんからの着信であれば３回に、粟津さんからの着信であれば５回に設定する。即ち、Ｓ１２〜Ｓ１５ステップにおいて、例えば四ノ宮さんからの着信の場合には３回着信音が鳴動すると、用件メッセージの録音動作（この録音動作の前に応答メッセージの送出が行われても良いことは言うまでもない）が行われる。
【００３５】
Ｓ１３ステップでは、制御部１００は、Ｓ３ステップ、Ｓ８ステップと同様に着信音を鳴動させ、Ｓ１４ステップへ処理を進める。
【００３６】
Ｓ１４ステップでは、制御部１００は、Ｓ４ステップと同様に呼出音のカウントを１インクリメントしＳ１５ステップへ処理を進める。
【００３７】
Ｓ１５ステップでは、制御部１００は、前記Ｓ１４ステップでカウントしたカウント値に基づいてＳ１２ステップで設定した回数の呼出音が鳴動されたと判定すると、Ｓ１６ステップへ処理を進め、そうでなければ、Ｓ１３ステップへ処理を戻す。
【００３８】
Ｓ１６ステップでは、制御部１００は、自動的に回線を接続させ、応答メッセージを回線に送出させた後に用件メッセージの録音動作を行い、処理を終了する。
【００３９】
尚、本実施例では、着信から用件メッセージの録音までの間隔を、着信音の鳴動回数に基づいて変えているが、着信音の鳴動回数ではなく、時間（例えば５秒等）をカウントして変えるようにしても良く、又、回線からの着信信号の回数をカウントして変えるようにしても良い。
【図面の簡単な説明】
【００４０】
【図１】は、本発明を適用してなる実施例装置のブロック図である。
【図２】は、電話帳メモリ２３０のデータの格納形態図である。
【図３】は、本発明を適用してなる実施例装置の動作を示すフロー図である。
【符号の説明】
【００４１】
１００  制御部
１３０  網制御部
１８０  スピーチネットワーク部
２２０  電話帳メモリ
【図１】
2008131447.tif 000003
【図２】
2008131447.tif 000004
【図３】
2008131447.tif 000005